(57)【要約】歯や歯茎を不用意に傷付けるおそれがなく適切な抜歯が行えると共に、大きな力を必要とせず容易かつ確実に抜歯を行うことができ、かつ、一種類の器具のみで全ての種類の歯の抜歯が可能となる抜歯用器具を提供すること。連結部を回動支点として互いが回動可能な一対のアーム部材と、一対のアーム部材の後端側に設けた把持部と、一方のアーム部材の先端部に設けられた補助具用係合部と、他方のアーム部材の先端部に設けられた押え部とを備える。押え部を抜歯対象の歯の近傍の支え部分にあてがうと共に、抜歯対象の歯にあらかじめ固定した補助具を補助具用係合部に係合させた状態で、把持部を手で掴んで操作することで、補助具を介して抜歯対象の歯が歯茎から引き抜かれるように構成した。
2017141908.tif 000002
【特許請求の範囲】
【請求項１】
連結部を回動支点として互いが回動可能な一対のアーム部材と、
一対の前記アーム部材の後端側に設けた手で掴んで操作するための把持部と、
一方の前記アーム部材の先端部に設けられて、あらかじめ抜歯対象の歯に固定した補助具に係合させるための補助具用係合部と、
他方の前記アーム部材の先端部に設けられて支え部分にあてがわれてこれを押える押え部と、を備え、
前記押え部を抜歯対象の歯の近傍の支え部分にあてがうと共に、抜歯対象の歯にあらかじめ固定した補助具を前記補助具用係合部に係合させた状態で、前記把持部を手で掴んで操作することで、前記補助具を介して前記抜歯対象の歯が歯茎から引き抜かれるように構成したことを特徴とする抜歯用器具。
【請求項２】
前記補助具は、前記抜歯対象の歯に刺し込まれる軸部と該軸部の上端に設けた頭部とを一体に備える部材であり、
前記補助具用係合部は、前記アーム部材の先端部に前記補助具の前記頭部を引っ掛けるための凹部が形成された部分であることを特徴とする請求項１に記載の抜歯用器具。
【請求項３】
前記押え部は、前記アーム部材の回動する面と直交する面内に広がる板状に形成された部分であることを特徴とする請求項１又は２に記載の抜歯用器具。
【請求項４】
前記補助具用係合部の先端は、前記押え部の先端よりも前記アーム部材の長手方向に沿って前記連結部から離れた位置に配置されていることを特徴とする請求項１乃至３のいずれか１項に記載の抜歯用器具。
【発明の詳細な説明】
【技術分野】
【０００１】
本発明は、歯科医師が治療において歯を抜くための抜歯用器具に関する。
【背景技術】
【０００２】
従来の歯科医師治療において行う抜歯は、例えば特許文献１,２に示すように挺子と鉗子を用いて行われている。すなわち、挺子の先端部を歯と歯茎の隙間に挿入し、楔作用やてこの原理を用いたり、挺子自体を少しずつ動かすことによって歯と歯茎の隙間を徐々に拡げていくことで歯を抜く方法と、鉗子で歯を挟持し、少しずつ振動させて歯を脱臼させる方法がある。さらには挺子と鉗子を交互に持ち替えて使用することで歯の脱臼をすすめ、最終的に鉗子で挟むことで歯を除去する方法等により抜歯が行われている。【０００３】
ところが、挺子は先尖部を歯と歯茎の隙間に刺し込む際に、先尖部の位置がぶれて不安定になりがちなため、周辺の口腔粘膜や歯茎を不用意に損傷するなどの危険性がある。【０００４】
一方、鉗子を用いて抜歯を行うには、鉗子先端の鋏で歯を確実に把持する必要があるため、鉗子の把持部を強く握り締める動作が必要である。また、その状態で歯を引き抜くために鉗子に引張力を加える必要がある。このように、大きな力が必要な２種類の動作を同時に行わなければならない。そのため、特に高齢者や女性など非力な歯科医師にとって抜歯は非常に大きな労力が必要な治療となっている。【０００５】
また、鉗子は先端の鋏部で歯を挟持する力を微妙に調節することが困難であると共に、鋏部の把持する力の反力を手で敏感に感じることができない。そのため、特に抜歯対象の歯が虫歯や欠歯など不完全な歯の場合には、把持する力が強過ぎることなどで歯の一部が崩壊するおそれがあり、その場合には適切な抜歯が行えないという問題があった。【０００６】
さらに、一連の抜歯の行程において、挺子と鉗子を交互に持ち替える方法では、施術に時間がかかり効率が上がらないという問題点がある。【０００７】
また、抜歯用鉗子は各歯に適合するものを予め多数種類（例えば十数種類）揃えておき、抜歯対象の歯に応じてそれらを使い分けるようになっている。そのため、歯科医師は抜くべき歯に適合した種類の鉗子を選んでその都度使用する必要がある。しかしながら、多数種類の抜歯用鉗子を揃える必要があるため、コスト面や器具の管理及びメンテナンス面で問題があった。
【先行技術文献】
【特許文献】
【０００８】
【特許文献１】特開２０１３−１０６７０９号公報
【特許文献２】特開平１１−２６７１３６号公報
【発明の概要】
【発明が解決しようとする課題】
【０００９】
本発明は上述の点に鑑みてなされたものであり、その目的は、歯や歯茎を不用意に傷付けるおそれがなく適切な抜歯が行えると共に、大きな力を必要とせず容易かつ確実に抜歯を行うことができ、かつ、一種類の器具のみで全ての種類の歯の抜歯が可能となる抜歯用器具を提供することにある。
【課題を解決するための手段】
【００１０】
上記課題を解決するため、本発明にかかる抜歯用器具は、連結部（１１）を回動支点として互いが回動可能な一対のアーム部材（１０，２０）と、一対のアーム部材（１０，２０）の後端側に設けた手で掴んで操作するための把持部（１３，２３）と、一方のアーム部材（１０）の先端部に設けられて、あらかじめ抜歯対象の歯に固定した補助具（４０）に係合させるための補助具用係合部（１２）と、他方のアーム部材（２０）の先端部に設けられて支え部分（Ｔ２）にあてがわれてこれを押える押え部（２２）と、を備え、押え部（２２）を抜歯対象の歯（Ｔ１）の近傍の支え部分（Ｔ２）にあてがうと共に、抜歯対象の歯（Ｔ１）にあらかじめ固定した補助具（４０）を補助具用係合部（１２）に係合させた状態で、把持部（１３，２３）を手で掴んで操作することで、補助具（４０）を介して抜歯対象の歯（Ｔ１）が歯茎（Ｍ）から引き抜かれるように構成したことを特徴とする。【００１１】
本発明にかかる抜歯用器具によれば、押え部を抜歯対象の歯に隣接する他の歯などにあてがい、あらかじめ抜歯対象の歯に固定した補助具を補助具用係合部に係合させた状態で、把持部を手で掴んで操作するだけで、補助具を介して抜歯対象の歯を歯茎から引き抜くことが可能となる。したがって、従来の挺子や鉗子のように歯や歯茎を不用意に傷付けるおそれがなく適切な抜歯が行える。また、把持部を握る操作だけで押え部を支点として補助具を強い力で引き離す動作が行えるので、大きな力を必要とせず容易かつ確実に抜歯を行うことができる。さらに、歯の位置や形状にかかわらず同じ操作で抜歯が可能となるので、一種類の抜歯用器具のみで全ての種類の歯の抜歯が可能となる。したがって、患者の口内を不用意に傷付けたりするおそれがなく、高齢者や女性など非力な歯科医師でも少ない労力で確実な抜歯治療を行うことができるようになる。【００１２】
また、上記の抜歯用器具では、補助具（４０）は、抜歯対象の歯（Ｔ１）に刺し込まれる軸部（４３）と該軸部（４３）の上端に設けた頭部（４２）とを一体に備える部材であり、補助具用係合部（１２）は、アーム部材（１０）の先端部に補助具（４０）の頭部（４２）を引っ掛けるための凹部（１２ａ）が形成された部分であってよい。【００１３】
この構成によれば、補助具として抜歯対象の歯（Ｔ１）に刺し込まれる軸部（４３）と該軸部（４３）の上端に設けた頭部（４２）とを一体に備える部材を用いることで、簡単な構成でありながら、補助具を介して抜歯対象の歯を確実に歯茎から引き抜くことが可能となる。【００１４】
また、上記の抜歯用器具では、押え部（２２）は、アーム部材（１０，２０）の回動する面内に広がる板状に形成された部分であってよい。これによれば、簡単な構成で、押え部を支え部分に容易かつ確実にあてがうことが可能となるので、抜歯対象の歯をより簡単かつ確実に抜くことができるようになる。【００１５】
また、上記の抜歯用器具では、補助具用係合部（１２）の先端は、押え部（２２）の先端よりもアーム部材（１０，２０）の長手方向に沿って連結部（１１）から離れた位置に配置されていてよい。【００１６】
この構成によれば、補助具用係合部に補助具を係合させて該補助具を介して歯を引き抜く動作が行い易くなるので、抜歯対象の歯をより簡単かつ確実に抜くことができる。
なお、上記の括弧内の符号は、後述する実施形態の対応する構成要素の符号を本発明の一例として示したものである。
【発明の効果】
【００１７】
本発明にかかる抜歯用器具によれば、歯や歯茎を不用意に傷付けるおそれがなく適切な抜歯が行えると共に、大きな力を必要とせず容易かつ確実に抜歯を行うことができ、かつ、一種類の器具のみで全ての種類の歯の抜歯が可能となる。
【図面の簡単な説明】
【００１８】
【図１】本発明の一実施形態にかかる抜歯用器具を示す図である。
【図２】図２Ａ、図２Ｂは、抜歯用器具の先端部の詳細構成を説明するための図で、図２Ａは、図１のＡ矢視、図２Ｂは、図１のＢ矢視を示す図である。
【図３】図３Ａ〜図３Ｃは、抜歯用器具の使用方法を説明するための図である。
【発明を実施するための形態】
【００１９】
以下、添付図面を参照して本発明の実施形態を詳細に説明する。図１は、本発明の一実施形態にかかる抜歯用器具を示す図である。図２Ａ、図２Ｂは、抜歯用器具の先端部の詳細構成を説明するための図で、図２Ａは、図１のＡ矢視、図２Ｂは、図１のＢ矢視を示す図である。
【００２０】
抜歯用器具１は、一対のアーム部材１０，２０を備える。アーム部材１０，２０は、ステンレス、チタン若しくはチタン合金などの金属で形成されている。ただし、必要な強度を確保できるのであれば、適当な合成樹脂など金属以外の材料で構成してもよい。一対のアーム部材１０，２０は、それらの長手方向の途中位置（比較的先端側に近い位置）において、ネジ又はピンからなる連結軸（連結部）１１を回動支点として互いに回動可能に連結されている。
【００２１】
一方のアーム部材１０の先端には、後述するネジ４０の頭部４２を引っ掛けるための引掛部１２が形成されており、他方のアーム部材２０の先端には、抜歯対象以外の歯などの支え部にあてがうための略板状の押え部２２が設けられている。押え部２２は、連結軸１１の軸方向に沿う面（アーム部材１０，２０が回動する面と直交する面）内に広がる平面状の部分で、その先端側の形状が湾曲線状になっている。押え部２２は、その幅がアーム部材１０の他の部分よりも幅広い形状になっている。また、引掛部１２はアーム部材１０の先端を細長い薄板状に形成した部分で、この薄板状の部分は、連結軸１１の軸方向に沿う面（アーム部材１０，２０が回動する面と直交する面）内に延びる細板状になっている。そして、引掛部１２には、その先端から長手方向の後側に向かって略Ｕ字型に切り込まれた凹部１２ａ（図２Ａ、図２Ｂ参照）が形成されている。引掛部１２は押え部２２よりも長く、その先端が連結軸１１に対して押え部２２よりも離れた位置に突出して配置されている。また、引掛部１２の先端側は、外側（押え部２２から離れる側）に向かって若干反り返っており、引掛部１２は、先端側に向かうにつれて次第に押え部２２から離れる方へ湾曲している。そして、引掛部１２の先端の面は押え部２２の面と略平行になっている。
【００２２】
また、一対のアーム部材１０，２０のそれぞれの後端側（連結軸１１よりも後側）は、アーム部材１０，２０を回動操作するための一対の把持部（操作部）１３，２３になっている。そして、一対のアーム部材１０，２０の連結軸１１よりも後側の内側面１０ａ，２０ａの間には、弾性を有するコイルバネ（弾性部材）３０が取り付けられている。コイルバネ３０は圧縮されると元の長さへ復帰する力を発揮する部材で、一対のアーム部材１０，２０の連結軸１１よりも後側の部分を互いに離間させる向き（互いの間隔を押し広げる向き）に付勢している。これにより、抜歯用器具１は、把持部１３，２３を把持していない初期状態で先端側の押え部２２が引掛部１２に当接してこれらが閉じられた状態になっている。その一方で、一対の把持部１３，２３を手で掴んで操作すると、コイルバネ３０の付勢力に抗して一対のアーム部材１０，２０が連結軸（回動支点）１１を中心に回動することで、引掛部１２が押え部２２から離間する方に回動する。
【００２３】
図３Ａ〜図３Ｃは、抜歯用器具１の使用方法を説明するための図である。これらの図を用いて抜歯用器具１の使用方法を説明する。図３Ａに示すように、あらかじめ抜歯対象の歯Ｔ１に金属製などのネジ４０を刺し込んだ状態で固定しておく。ネジ４０は、その軸部４３の先端側の一部のみを抜歯対象の歯Ｔ１に刺し込むことで、頭部４２と歯Ｔ１の間に隙間Ｌを有した状態で取り付ける。そして、図３Ｂに示すように、抜歯用器具１の押え部２２を抜歯対象の歯Ｔ１の隣の歯Ｔ２など支えとなる部分にあてがうと共に、引掛部１２の先端をネジ４０の頭部４２と歯Ｔ１との隙間Ｌに挿入して凹部１２ａをネジ４０の頭部４２に引っ掛ける。その状態で抜歯用器具１の把持部１３，２３を手で握ると、図３Ｃに示すように、押え部２２に対して引掛部１２が連結軸（支点）１１を中心に上方に回動することでネジ４０の頭部４２が引き上げられる。これにより、ネジ４０が差し込まれた抜歯対象の歯Ｔ１を歯茎Ｍから抜くことができる。
【００２４】
以上説明したように、本実施形態の抜歯用器具１は、連結軸１１を回動支点として互いが回動可能な一対のアーム部材１０，２０と、これら一対のアーム部材１０，２０の後端側に設けた手で掴んで操作するための把持部１３，２３と、一方のアーム部材１０の先端部に設けられて、あらかじめ抜歯対象の歯Ｔ１に固定したネジ（補助具）４０に引っ掛けて係合させるための引掛部（補助具用係合部）１２と、他方のアーム部材２０の先端部に設けられて隣接する他の歯（支え部分）Ｔ２にあてがわれる押え部２２とを備えている。そして、押え部２２を抜歯対象の歯Ｔ１の近傍の他の歯（支え部分）Ｔ２にあてがうと共に、抜歯対象の歯Ｔ１にあらかじめ刺し込んで固定したネジ４０を引掛部１２に係合させた状態で、把持部１３，２３を手で掴んで操作する。これによりネジ４０を介して抜歯対象の歯Ｔ１が歯茎Ｍから引き抜かれるように構成している。
【００２５】
本実施形態の抜歯用器具１によれば、押え部２２を抜歯対象の歯Ｔ１に隣接する他の歯Ｔ２などにあてがい、あらかじめ抜歯対象の歯Ｔ１に固定したネジ４０を引掛部１２に引っ掛けて係合させた状態で、把持部１３，２３を手で掴んで操作するだけで、ネジ４０を介して抜歯対象の歯Ｔ１を歯茎Ｍから引き抜くことが可能となる。したがって、従来の挺子や鉗子のように歯や歯茎を不用意に傷付けるおそれがなく適切な抜歯が行える。また、把持部１３、２３を手で掴んで握る操作だけで押え部２２側からネジ４０を強い力で引き離す動作が行えるので、大きな力を必要とせず容易かつ確実に抜歯を行うことができる。さらに、歯の位置や形状にかかわらず常に同じ操作での抜歯が可能となるので、一種類の抜歯用器具１のみで全ての種類の歯の抜歯が可能となる。したがって、患者の口内を不用意に傷付けたりするおそれがなく、高齢者や女性など非力な歯科医師でも少ない労力で確実な抜歯治療を行うことができるようになる。
【００２６】
また、本発明にかかる補助具であるネジ４０は、抜歯対象の歯Ｔ１に刺し込まれる軸部４３と該軸部４３の上端に設けた頭部４２とを一体に備える部材である。そして、本発明にかかる補助具用係合部である引掛部１２は、アーム部材１０の先端部にネジ４０の頭部４２を引っ掛けるための凹部１２ａが形成された部分である。
【００２７】
この構成によれば、簡単な構成でありながら、ネジ４０を介して抜歯対象の歯Ｔ１を確実に歯茎Ｍから引き抜くことが可能となる。
【００２８】
また、上記の抜歯用器具１では、押え部２２は、アーム部材１０，２０の回動する面内に広がる板状に形成された部分である。これによれば、簡単な構成で、押え部２２を支え部分Ｔ２に容易かつ確実にあてがうことが可能となるので、抜歯対象の歯Ｔ１をより簡単かつ確実に抜くことができるようになる。
【００２９】
また、上記の抜歯用器具１では、補助具用係合部である引掛部１２の先端は、押え部２２の先端よりもアーム部材１０，２０の長手方向に沿って連結部１１から離れた位置に配置されている。
【００３０】
この構成によれば、引掛部１２にネジ４０を係合させて該ネジ４０を介して歯Ｔ１を引き抜く動作が行い易くなるので、抜歯対象の歯Ｔ１をより簡単かつ確実に抜くことができる。
【００３１】
以上、本発明の実施形態を説明したが、本発明は、上記実施形態に限定されるものではなく、特許請求の範囲、及び明細書と図面に記載された技術的思想の範囲内において種々の変形が可能である。例えば、上記実施形態の説明では、抜歯対象の歯にネジ４０を刺し込む場合を説明したが、ネジ４０は釘であってもよい。また、抜歯用器具１の細部の具体的な形状は一例であり、本発明にかかる抜歯用器具の引掛部はネジ又は釘の頭部を引っ掛けることが可能な形状であれば上記以外の形状であってもよいし、押え部はネジ又は釘を引き上げる際に支えとなる部分に好適にあてがうことが可能な形状であれば、上記以外の形状であってもよい。
【図１】
2017141908.tif 000003
【図２】
2017141908.tif 000004
【図３】
2017141908.tif 000005
【手続補正書】
【提出日】平成29年6月26日(2017.6.26)
【手続補正１】
【補正対象書類名】特許請求の範囲
【補正対象項目名】全文
【補正方法】変更
【補正の内容】
【特許請求の範囲】
【請求項１】
連結部を回動支点として互いが回動可能な一対のアーム部材と、
一対の前記アーム部材の後端側に設けた手で掴んで操作するための把持部と、
一方の前記アーム部材の先端部に設けられて、あらかじめ抜歯対象の歯に固定した補助具に係合させるための補助具用係合部と、
他方の前記アーム部材の先端部に設けられて支え部分にあてがわれてこれを押える押え部と、
前記連結部よりも後側における前記一対のアーム部材の間に取り付けられて互いの間隔を押し広げる向きに付勢している弾性部材と、を備え、
前記補助具用係合部は、前記アーム部材の先端部から長手方向の後側に向かって略Ｕ字型に切り込まれた凹部を有し、
前記押え部は、前記アーム部材の回動する面と直交する面内で前記アーム部材の他の部分よりも幅広い板状に形成された部分であり、
前記補助具用係合部は、先端側に向かうにつれて次第に前記押え部から離れる方へ湾曲し、当該補助具用係合部の先端の面は前記押え部の面と略平行になっており、
前記押え部を抜歯対象の歯の近傍の支え部分にあてがうと共に、抜歯対象の歯にあらかじめ固定した前記補助具を前記補助具用係合部の前記凹部に係合させた状態で、前記把持部を手で掴んで操作することで、前記補助具を介して前記抜歯対象の歯が歯茎から引き抜かれるように構成したことを特徴とする抜歯用器具。
【請求項２】
前記補助具は、前記抜歯対象の歯に刺し込まれる軸部と該軸部の上端に設けた頭部とを一体に備える部材であることを特徴とする請求項１に記載の抜歯用器具。
【請求項３】
（削除）
【請求項４】
前記補助具用係合部の先端は、前記押え部の先端よりも前記アーム部材の長手方向に沿って前記連結部から離れた位置に配置されていることを特徴とする請求項１乃至３のいずれか１項に記載の抜歯用器具。
【国際調査報告】
2017141908.tif 000006
2017141908.tif 000007